(57)【特許請求の範囲】
【請求項１】
地盤貫入部を有する生分解性プラスチックからなる本体と、上記地盤貫入部の先端部分に取り付けた金属製尖頭部とを有し、上記地盤貫入部は少なくとも上記金属製尖頭部近傍の部分がアンモニア態窒素肥料を保持していることを特徴とする完全分解性植生具。
【発明の詳細な説明】
【０００１】
【発明の属する技術分野】
本発明は、苗木の支柱、法面緑化工事に使用される植生体を地盤に固定するための目串、植生工事に使用される網状体を地盤から浮かせて支持するためのスペーサのように、一端部を植生地盤に貫入して、植物や植生材料を支持又は固定するための植生具に関する。
【０００２】
【従来の技術】
従来、苗木の支柱、法面緑化工事に使用される植生体を植生地盤に固定するための目串、植生工事に使用される網状体（例えばネット）を地盤から浮かせて支持するためのスペーサなどの植生具は、木材、竹、金属、ポリエチレンなどのプラスチックなどで作られている。
【０００３】
【発明が解決しようとする課題】
ところが、木材や竹は大量生産できず、土壌中での分解速度を調整することは甚だ難しい。また、金属が長期間に亘って植生地盤に原型を留めた状態で放置されると、特に盛土法面のように足場の軟らかい傾斜地では、この金属物によって歩行者が怪我する危険もあり得る。さらに、ポリエチレンなどのプラスチックは半永久的に植生地盤に残存するという環境上の問題がある。
【０００４】
【課題を解決するための手段】
このような問題を解消するために、本発明は、苗木支柱、植生用目串、スペーサなどの本体を、土壌微生物により分解されて自然に還元できる生分解性プラスチックで植生具を形成したものである。
【０００５】
ところが、生分解性プラスチックはポリエチレンなどのプラスチックと同様に弾性が高いので、この生分解性プラスチックで形成した杭状の部材を直接切土法面等に打ち込もうとしても、その打撃時の弾性的な反発によって跳ね返って目的の深さまで貫入できない。そこで、植生具本体の地盤貫入部には、該地盤貫入部の先端部分に金属製尖頭部を取り付け、地盤への貫入を容易にした。
【０００６】
一方、生分解性プラスチックの分解には土壌微生物が関与し、他方土壌微生物の繁殖、植物の生育には低分子のアンモニア態窒素が必要である。しかし、生分解性プラスチックは有機物における炭素と窒素の比（Ｃ／Ｎ比：窒素に対する炭素の比率）が極めて高いので、生分解性プラスチックはその分解する際にアンモニア態窒素を土壌中から奪ってしまい、そのために植物の生育に必要なアンモニア態窒素が不足していわゆる窒素飢餓を招く結果となってしまう。そこで、本発明では、生分解性プラスチックからなる本体の地盤貫入部は、少なくとも上記金属製尖頭部近傍の部分がアンモニア態窒素肥料を保持しており、このアンモニア態窒素により生分解性プラスチックからなる本体の分解が促進される。
【０００７】
【発明の効果】
このように、本発明に係る植生具は、その本体が生分解性プラスチックで形成されているので、木材や竹で作られる植生具と違って、大量に生産できる。また、金属尖頭部が貫入部に取り付けてあるので、切土法面のような硬質地盤でも容易に植生具を貫入できる。さらに、植生具に保持されているアンモニア態窒素肥料により、生分解性プラスチックからなる本体だけでなく、金属尖頭部の分解が促進されるので、この金属尖頭部が長期間に亘って地盤に原型を留めたままで残存することがないし、そのために植生地を歩行する人がこの金属物によって怪我をすることがない。そして、生分解性プラスチックの分解に必要なアンモニア態窒素が植生具から補給されるので、地盤に含まれる天然のアンモニア態窒素は植物の生育に利用でき、植物は窒素飢餓状態に陥ることがない。
【０００８】
【発明の実施の形態】
以下、添付図面を参照して本発明の好適な実施の形態について説明する。図１、２において、符号１で全体を表した植生具は、例えば法面緑化などに利用される植生体やこの植生体を保護する被覆（ネット、むしろ等）を植生地盤に固定するために利用されるもので、公知の生分解性プラスチックからなる釘状本体２を備えている。本体２は円柱状の軸部３を有し、この軸部３の一端（上端）は半径方向に拡大して打撃部４が形成されている。他方、軸部３の他端側（下端側）は貫入部５としてあり、この貫入部５の末端部分が円錐形状部６としてある。円錐形状部６は、その外形に対応した内部形状を有する円錐容器状の金属尖頭部７が被せてあり、これにより貫入部５の地盤貫入が容易にできるようにしてある。また、本体２の円錐形状部６とその近傍に位置する貫入部５の表面には、アンモニア態窒素肥料８が保持されている。
【０００９】
上記植生具１の本体２を構成する生分解性プラスチックとしては、例えば微生物の発酵合成によって得られた高分子からなるもの、植物由来の澱粉などや動物由来のキトサンなどの天然高分子からなるもの、ポリカプロラクタンなど合成高分子からなるものがあり、いずれも炭素、水素及び酸素からなり、微生物によって分解すると二酸化炭素と水になって自然に還元する性質を有する。
【００１０】
金属尖頭部７は鉄、アルミニウムなどの公知の金属からなり、アンモニア態窒素肥料８により腐食が促進されるものが好適に使用される。
【００１１】
アンモニア態窒素肥料８は、硫安、硝安、腐植酸アンモニア肥料、硫安系普通化成肥料、燐安を含む高度化成肥料などが好適に用いられる。
【００１２】
これら金属尖頭部７とアンモニア態窒素肥料８は、本体２を射出成型した直後、この本体２が固まる前に、まずアンモニア態窒素肥料８を貫入部５に付着させ、次に金属尖頭部７を円錐形状部６に被せて保持させる。
【００１３】
このようにして形成された植生具１は、従来の目串と同様に、打撃部４を打撃して金属尖頭部７と貫入部５を地盤に貫入し、法面などに敷設された植生体や網状体などを固定するために利用され、このようにして固定された植生体や網状体は植物が活着生育するまで植生具１により固定され、流水による法面崩壊や植生材料の流亡を防止する。
【００１４】
そして、生分解性プラスチックからなる植生具１の本体２は土壌微生物により分解されて二酸化炭素と水になって自然に還元する。また、本体２の分解はアンモニア態窒素肥料８により促進され、法面に植物が繁茂した後の比較的早い時期にその姿を失って消滅する。なお、本体２の分解速度はこれに保持するアンモニア態窒素肥料８の量によって調整できる。但し、生分解性プラスチックの分解により土壌に含まれるアンモニア態窒素が奪われることはなく、植物は土壌のアンモニア態窒素を吸収して良好に成長する。
【００１５】
さらに、植生具１の本体２と同様に、金属尖頭部７もアンモニア態窒素肥料８により腐食が促進され、比較的早い時期にその原型を失う。そのため、植生地盤を歩行しても、この金属尖頭部７によって怪我することはない。
【００１６】
加えて、植生具１が完全に分解した後にできる地中の穴は、その後クロアナバチやアリなどの巣になり、多様性に富んだ生態系を形成する。特に、アリは、アリ散布植物と呼ばれるエノコログサ、イヌタデ、ヤマモモ、スミレ、キケマンなどの定着と分布拡大を助長する。
【００１７】
その他、上記実施形態では、金属尖頭部として円錐容器状の部材を使用したが、図３に示すように、中実の円錐部材からなる金属尖頭部９を利用してもよい。この場合、金属尖頭部９の本体２への対向面には突起１０を一体的に形成し、この金属尖頭部９に対応して、本体貫入部５の端部は横断方向の平坦面とし、この平坦面には突起１０が嵌合可能な穴１１を形成し、突起１０を穴１１に圧入嵌合して本体２に金属尖頭部９を保持させる。なお、金属尖頭部９と本体２との接続形態は限定的ではなく、例えば金属尖頭部９に係合凹部を形成し、この係合凹部に対して本体２に形成した凸部を嵌合してもよい。
【００１８】
また、アンモニア態窒素肥料８は、まだ固まっていない状態の本体２に吹き付けて保持させたが、例えば、本体２の外周面に溝等の窪みを形成すると共にこの窪みにアンモニア態窒素肥料を収容して、接着剤で、又はこの窪みを天然材料からなるシートで覆って脱落を防止してもよい。
【００１９】
さらに、上記実施形態では、アンモニア態窒素肥料８は植生具本体２の貫入部５だけに保持させたが、本体２の全長に亘って保持してもよい
【００２０】
以上、植生体を地盤に保持するための植生具（目串）に本発明を適用した実施形態を説明したが、本発明は、苗木を支持する支柱、植生工事に使用される網状体を地盤から浮かせて支持するためのスペーサにも同様に適用できるし、植生具の形状はそれぞれの目的や用途に応じて適宜変更でき、このような形態も本発明の範囲に属するものである。
【００２１】
また、目串やスペーサ等の本体や打撃部に適宜突起を設け、この突起を利用してネット等の被覆材料を止めるようにしてもよい。
【図面の簡単な説明】
【図１】  本発明に係る植生具の斜視図。
【図２】  図１に示す植生具の分解斜視図。
【図３】  本発明に係る植生具の他の実施形態を示す一部分解斜視図。
【符号の説明】
１…植生具、２…本体、３…軸部、４…打撃部、５…貫入部、７…金属尖頭部、８…アンモニア態窒素肥料。
【図１】
0003833798.tif 000002
【図２】
0003833798.tif 000003
【図３】
0003833798.tif 000004